【手続補正書】
【提出日】平成17年12月1日(2005.12.1)
【手続補正１】
【補正対象書類名】特許請求の範囲
【補正対象項目名】全文
【補正方法】変更
【補正の内容】
【特許請求の範囲】
【請求項１】
床を持つベース、および側壁を含み、そして内部の部屋を決定するハウジングと、前記部屋のためのカバーを備える動物捕獲器において、
前記部屋につながる入り口開口と、
前記入り口開口から前記ハウジング内部に導く通路と、
前記通路の中間に設置された第１および第２の隔てられた電極と、
前記電極に目標動物が同時に接触した時に電気ショックを与えるために、前記電極に電気的に接続された回路と、
前記第２の電極に進んだ目標動物が後退する気力をなくすために、前記入り口開口と少なくとも一つの第２の電極との間に介在する少なくとも一つの進路変更器と、および
前記入り口開口を通って直線的要素が前記両電極に同時に接触することを阻止する少なくとも一つの障壁とを備えた動物捕獲器。
【請求項２】
前記通路の端部で前記入り口開口から離れた箇所にエサ受け取り位置を更に含む請求項１記載の動物捕獲器。
【請求項３】
前記エサ受け取り位置から大気中にエサの匂いを浸透させるために、前記ハウジングの一部を通過する開口を更に備える請求項２記載の動物捕獲器。
【請求項４】
少なくとも第１および第２の進路変更部材が隔てた関係で、前記入り口開口および少なくとも前記第２の電極の間の通路に介在させ、前記第１および第２の進路変更部材は共に、通過する目標動物が前記入り口開口への目視による進行を阻止し、これにより、目標動物が後退する気力をなくさせ、また、前記第１および第２の物は共に、前記障壁を決定し、前記入り口開口を通じて直線性要素が前記両電極に同時に触れることを阻止する請求項１記載の動物捕獲器。
【請求項５】
前記第１の進路変更部材は、前記入り口開口に並置され、目標動物を前記通路に沿って第１の角度方向に導き、そして、前記第２の進路変更部材は、目標動物を前記通路に沿い、第１の角度方向に対して第２の角度に向け直す請求項４に記載の動物捕獲器。
【請求項６】
前記第１および第２の進路変更部材は、目標動物が通過するに違いない箇所に、フリーなエッジ部を含み、前記第１および第２の進路変更部材の前記フリーなエッジ部は、前記入り口開口から少なくとも前記第２の電極に向かういずれかの直線ラインの対向する側に位置する請求項５記載の動物捕獲器。
【請求項７】
前記カバーが閉じられた時、前記進路変更部材は、前記ハウジングの前記床と前記カバーとの間の前記部屋の高さ一杯まで実質的に延在する請求項６に記載の動物捕獲器。
【請求項８】
前記通路は、前記ハウジングの隔てられた壁によって限定され、前記第１の進路変更部材は、前記通路を決定する第１の壁に固定された第１の端部と、前記通路を決定し、かつ、それの第１の端部から第２の端部に第１の角度で延在する第２の壁から隔てられたフリーなエッジ部を含む第２の端部とを有し、前記第２の進路変更部材は、第２の壁に固定された第１の端部および、前記第１の壁から隔てら、かつ、それの第１の端部からそれの第２の端部に第２の角度で延在する前記フリーなエッジ部を有する第２の端部を有し、前記第１の進路変更部材の前記第２の端部および前記第２の進路変更部材の前記第２の端部はそれぞれ、前記通路の縦方向に伸びる中間点を過ぎて延在し、前記入り口開口から少なくとも前記電極への直接のアクセスを阻止する、請求項６に記載の動物捕獲器。
【請求項９】
前記第１の進路変更部材は、前記第１の壁に関してほぼ４５°の角度で延在し、そして、第２の進路変更部材は、前記第２の壁に対して反対のほぼ４５°の角度で延在する請求項８記載の動物捕獲器。
【請求項１０】
前記隔てられた電極間に介在する前記部屋内に向けて下方に延在する少なくとも第１の進路変更部材を含み、前記第１の進路変更部材は、前記ベースの前記床からある距離で隔てられた下側エッジ部を有し、その距離は、目標動物が前記第２の電極にちかづいた時、その動物を前記第１の進路変更部材の下方に押し込ませることができるものである請求項１記載の動物捕獲器。
【請求項１１】
前記第１の進路変更部材は、前記カバーに備えられる請求項１０記載の動物捕獲器。
【請求項１２】
前記カバーは開放可能で、そして前記第１の進路変更部材は、前記カバーが閉じられた時、前記部屋内に向け、下方に延在する請求項１１記載の動物捕獲器。
【請求項１３】
前記第１の進路変更部材から隔て、上方に延在する第２の進路変更部材を含み、これは、前記入り口開口と前記第１の進路変更部材の間の前記床に備えられ、前記第２の進路変更部材は、前記床から、ある距離で隔てられた上方エッジ部を有し、前記距離は、前記第１の進路変更部材の下側エッジ部の前記床からの前記距離よりも大きく、それにより、前記第１および第２の進路変更部材が共に、前記入り口開口を通じて直線の要素が前記電極にアクセスするのを阻止する前記障壁を決定する請求項１０記載の動物捕獲器。
【請求項１４】
前記通路に介在させた斜面捕獲用組立品を含み、そして、前記入り口開口に並置された第１の端部および、前記第２の電極に並置された第２の端部を持つプラットフォーム要素を含み、ピボット要素は、前記プラットフォーム要素を、それの端部にて、下に横たわってそれを支持し、前記プラットフォームを第１の位置(前記第１の端部が降下され、前記第２の端部が上昇される)と第２の位置(前記第１の端部が上昇され、前記第２の端部が降下される)との間で回転させ、そして、ドア部材は、底エッジ部およびトップのエッジ部を有し、ヒンジ要素は、前記入り口開口に接近して前記ドア部材の前記底エッジ部に固定され、前記ドア部材を降下位置(前記ブラッとフォーム要素が第１の位置にある時、前記ドア部材は、前記プラットフォーム要素の第１の端部上に休止して、目標動物が前記入り口開口を通じて通路へのアクセスを与える)と上昇位置(前記プラットフォーム要素が、それの第１の位置からそれの第２の位置へ移動した時、前記ドア部材は、前記プラットフォームの前記第１の端部の移動によって持ち上げられる)との間でピボット回転させ、前記ドア部材は、それの降下位置に付勢されており、前記ドア部材がそれの低下位置にある時、前記プラットフォーム要素上の前記ドア部材の重さが、前記プラットフォームをそれの第１の位置に維持し、そして、目標動物が前記入り口開口から前記ピボット要素を越えた時、前記プラットフォーム要素の前記第２の端部上の目標動物の重さが、前記プラットフォーム要素をそれの第２の位置に回転させ、これにより、前記ドア部材をそれの上昇位置に持ち上げ、前記ドア部材(それの第２の位置にある)は、前記プラットフォーム上の目標動物が入り口開口へ退却することを阻止し、前記プラットフォーム要素は、通電され、前記第１の電極を決定し、前記プラットフォーム要素の前記第２の端部の下に絶縁体が横たわり、これにより、目標動物は、双方の前記電極に同時に接触した時にショックを受け、そして、前記プラットフォームは、それのいずれの位置にあっても、前記入り口開口を通過して直線要素が双方の前記電極に同時に接触するのを防止する請求項１０記載の動物捕獲器。
【手続補正２】
【補正対象書類名】図面
【補正対象項目名】図１
【補正方法】変更
【補正の内容】
【図１】
2005514925.tif 000001
【手続補正３】
【補正対象書類名】図面
【補正対象項目名】図２
【補正方法】変更
【補正の内容】
【図２】
2005514925.tif 000002
【手続補正４】
【補正対象書類名】図面
【補正対象項目名】図３
【補正方法】変更
【補正の内容】
【図３】
2005514925.tif 000003
【手続補正５】
【補正対象書類名】図面
【補正対象項目名】図４
【補正方法】変更
【補正の内容】
【図４】
2005514925.tif 000004
【手続補正６】
【補正対象書類名】図面
【補正対象項目名】図５
【補正方法】変更
【補正の内容】
【図５】
2005514925.tif 000005
【手続補正７】
【補正対象書類名】図面
【補正対象項目名】図７
【補正方法】変更
【補正の内容】
【図７】
2005514925.tif 000006
【手続補正８】
【補正対象書類名】図面
【補正対象項目名】図８
【補正方法】変更
【補正の内容】
【図８】
2005514925.tif 000007
【手続補正９】
【補正対象書類名】図面
【補正対象項目名】図９
【補正方法】変更
【補正の内容】
【図９】
2005514925.tif 000008
【手続補正１０】
【補正対象書類名】図面
【補正対象項目名】図１０
【補正方法】変更
【補正の内容】
【図１０】
2005514925.tif 000009
【手続補正１１】
【補正対象書類名】図面
【補正対象項目名】図１１
【補正方法】変更
【補正の内容】
【図１１】
2005514925.tif 000010
【手続補正１２】
【補正対象書類名】図面
【補正対象項目名】図１２
【補正方法】変更
【補正の内容】
【図１２】
2005514925.tif 000011
【手続補正１３】
【補正対象書類名】図面
【補正対象項目名】図１３
【補正方法】変更
【補正の内容】
【図１３】
2005514925.tif 000012
【手続補正１４】
【補正対象書類名】図面
【補正対象項目名】図１４
【補正方法】変更
【補正の内容】
【図１４】
2005514925.tif 000013
【手続補正１５】
【補正対象書類名】図面
【補正対象項目名】図１５
【補正方法】変更
【補正の内容】
【図１５】
2005514925.tif 000014
【手続補正１６】
【補正対象書類名】図面
【補正対象項目名】図１６
【補正方法】変更
【補正の内容】
【図１６】
2005514925.tif 000015
【手続補正１７】
【補正対象書類名】図面
【補正対象項目名】図１７
【補正方法】変更
【補正の内容】
【図１７】
2005514925.tif 000016